(57)【要約】【課題】突上げシーケンスの変更が容易な半導体製造装置を提供することにある。【解決手段】半導体製造装置は、ダイシングテープと接触する複数のブロックを有る突上げユニットと、前記ダイを吸着するコレットを有し、上下動が可能なヘッドと、前記突上げユニットおよび前記ヘッドの動作を制御する制御部と、を備える。前記突上げユニットは、前記複数のブロックのそれぞれが独立して動作が可能なように構成される。前記制御部は、前記複数のブロックの突上げシーケンスを複数のステップで構成し、前記複数のブロックの高さおよび速度をブロック毎およびステップ毎に設定可能なタイムチャートレシピに基づいて前記複数のブロックの動作を制御するよう構成される。【選択図】図４
2020161534.tif 000002
【特許請求の範囲】
【請求項１】
ダイシングテープと接触する複数のブロックと、該複数のブロックの外側に設けられ、前記ダイシングテープが吸着可能なドームヘッドと、を有し、前記複数のブロックによりダイを前記ダイシングテープの下から突き上げる突上げユニットと、
前記ダイを吸着するコレットを有し、上下動が可能なヘッドと、
前記突上げユニットおよび前記ヘッドの動作を制御する制御部と、
を備え、
前記突上げユニットは、前記複数のブロックのそれぞれが独立して動作が可能なように構成され、
前記制御部は、前記複数のブロックの突上げシーケンスを複数のステップで構成し、前記複数のブロックの高さおよび速度をブロック毎およびステップ毎に設定可能なタイムチャートレシピに基づいて前記複数のブロックの動作を制御するよう構成される半導体製造装置。
【請求項２】
請求項１の半導体製造装置において、
さらに、前記突上げユニットの突上げ状況を検知可能な検出器を備え、
前記制御部は、一つの突上げシーケンスの間における前記検出器の検出結果に基づいて、前記一つの突上げシーケンスの内の動作を変更するよう構成される半導体製造装置。
【請求項３】
請求項２の半導体製造装置において、
前記制御部は、最初のステップにおいて前記複数のブロックの全てを上昇させる場合、前記複数のブロックのうちの最も外側のブロックを上昇させる際に前記検出器がリークを検出し、当該リークが所定値以下の場合、前記複数のブロックの全ての上昇を継続するよう構成される半導体製造装置。
【請求項４】
請求項１の半導体製造装置において、
前記タイムチャートレシピは、さらに、前記ステップの時間を設定可能に構成される半導体製造装置。
【請求項５】
請求項１の半導体製造装置において、
前記制御部は各ブロックが指定された位置に到着することを優先して各ステップ終了し、
前記タイムチャートレシピは、さらに、各ブロックの上昇または下降が終了してから次のステップの開始時間である時間差を設定可能に構成される半導体製造装置。
【請求項６】
請求項４の半導体製造装置において、
前記タイムチャートレシピは、さらに、各ブロックの加速度を設定可能に構成される半導体製造装置。
【請求項７】
請求項１の半導体製造装置において、
前記制御部は各ブロックが指定された位置に到着することを優先して各ステップ終了し、
前記タイムチャートレシピは、さらに、各ブロックの加速度および各ブロックの同期合せのための上昇または下降の終了後の待ち時間を設定可能に構成される半導体製造装置。
【請求項８】
請求項５の半導体製造装置において、
前記制御部は各ブロックが指定された位置に到着することを優先して各ステップ終了し、
前記タイムチャートレシピは、さらに、前記時間差の基準となる基準時間を設定可能に構成される半導体製造装置。
【請求項９】
請求項６の半導体製造装置において、
前記時間、前記速度、前記加速度および前記高さは、関数を入力して計算結果に基づいて設定するよう構成される半導体製造装置。
【請求項１０】
請求項１の半導体製造装置において、
前記突上げユニットは、前記複数の前記ブロックに対応して独立に動作する複数の駆動軸を有する半導体製造装置。
【請求項１１】
請求項１の半導体製造装置において、
前記ヘッドはピックアップヘッドであり、
さらに、
前記ピックアップヘッドでピックアップされるダイを載置する中間ステージと、
前記中間ステージに載置されるダイを基板または既にボンディングされているダイの上にボンディングするボンディングヘッドと、
を備える半導体製造装置。
【請求項１２】
（ａ）ダイシングテープと接触する複数のブロックを有し、ダイを前記ダイシングテープの下から突き上げる突上げユニットと、前記ダイを吸着するコレットと、を備える半導体製造装置に、前記ダイシングテープを保持するウェハリングを搬入する工程と、
（ｂ）前記突き上げユニットで前記ダイを突き上げて前記コレットで前記ダイをピックアップする工程と、
を備え、
前記（ｂ）工程は、前記複数のブロックの突上げシーケンスを複数のステップで構成し、前記複数のブロックの高さおよび速度をブロック毎およびステップ毎に設定可能なタイムチャートレシピに基づいて前記複数のブロックの上昇または下降する半導体装置の製造方法。
【請求項１３】
請求項１２の半導体装置の製造方法において、
前記（ｂ）工程は、最初のステップにおいて前記複数のブロックの全てを上昇させる場合、前記複数のブロックのうちの最も外側のブロックを上昇させる際に検出器がリークを検出するときも、前記複数のブロックの全ての上昇を継続する半導体装置の製造方法。
【請求項１４】
請求項１２の半導体装置の製造方法において、さらに、
（ｃ）前記ダイを基板または既にボンディングされているダイの上にボンディングする工程を備える半導体装置の製造方法。
【請求項１５】
請求項１４の半導体装置の製造方法において、
前記（ｂ）工程はさらに前記ピックアップしたダイを中間ステージに載置する工程を有し、
前記（ｃ）工程はさらに前記中間ステージから前記ダイをピックアップする工程を有する半導体装置の製造方法。
【発明の詳細な説明】
【技術分野】
【０００１】
本開示は半導体製造装置に関し、例えば突上げユニットを備えるダイボンダに適用可能である。
【背景技術】
【０００２】
一般に、ダイと呼ばれる半導体チップを、例えば、配線基板やリードフレームなど（以下、総称して基板という。）の表面に搭載するダイボンダにおいては、一般的に、コレット等の吸着ノズルを用いてダイを基板上に搬送し、押付力を付与すると共に、接合材を加熱することによりボンディングを行うという動作（作業）が繰り返して行われる。
【０００３】
ダイボンダ等の半導体製造装置によるダイボンディング工程の中には、半導体ウェハ（以下、ウェハという。）から分割されたダイを剥離する剥離工程がある。剥離工程では、ダイシングテープ裏面から突上げユニットによってダイを突き上げて、ダイ供給部に保持されたダイシングテープから、１個ずつ剥離し、コレット等の吸着ノズルを使って基板上に搬送する。
【０００４】
例えば、特開２００５−１１７０１９号公報（特許文献１）によれば、ダイシングテープに貼り付けられた複数のダイのうち剥離対象のダイを突き上げてダイシングテープから剥離する際に、吸着駒（突上げユニット）は、プッシャの一駆動軸により、複数段のブロックをピラミッド状に押し上げることでダイの周辺から低ストレスにダイシングテープから剥離している。
【先行技術文献】
【特許文献】
【０００５】
【特許文献１】特開２００５−１１７０１９号公報
【特許文献２】特開２０１７−２２４６４０号公報
【発明の概要】
【発明が解決しようとする課題】
【０００６】
近年、ダイ積層パッケージや３Ｄ−ＮＡＮＤ（３次元ＮＡＮＤフラッシュ）の出現によって、ウェハ（ダイ）はより薄くなってきている。ダイが薄くなると、ダイシングテープの粘着力に比べてダイの剛性が極めて低くなる。そのため、例えば、数十μｍ以下の薄ダイをピックアップするにはダイに掛かるストレスを軽減させること（低ストレス化）が必要である。
【０００７】
上述の一駆動軸による複数段のブロックの突上げでは、各ブロックの動作順序（突上げシーケンス）および突上げ量が機構的に一定に制限されているため、ダイシングテープの種類、ダイの厚さなどの条件が変わった場合、ブロックの動作順序や突上げ量が最適とは限らない。
本開示の課題は突上げシーケンスの変更が容易な半導体製造装置を提供することにある。
その他の課題と新規な特徴は、本明細書の記述および添付図面から明らかになるであろう。
【課題を解決するための手段】
【０００８】
本開示のうち代表的なものの概要を簡単に説明すれば下記の通りである。
すなわち、半導体製造装置は、ダイシングテープと接触する複数のブロックを有る突上げユニットと、前記ダイを吸着するコレットを有し、上下動が可能なヘッドと、前記突上げユニットおよび前記ヘッドの動作を制御する制御部と、を備える。前記突上げユニットは、前記複数のブロックのそれぞれが独立して動作が可能なように構成される。前記制御部は、前記複数のブロックの突上げシーケンスを複数のステップで構成し、前記複数のブロックの高さおよび速度をブロック毎およびステップ毎に設定可能なタイムチャートレシピに基づいて前記複数のブロックの動作を制御するよう構成される。
【発明の効果】
【０００９】
上記半導体製造装置によれば、突上げシーケンスの変更を容易にすることが可能である。
【図面の簡単な説明】
【００１０】
【図１】実施形態の半導体装置の構成を示す概略図である。
【図２】ダイシングテープに接触している状態の突上げユニットの要部断面図である。
【図３】ＲＭＳの突上げシーケンスの一例を示す図である。
【図４】図３のシーケンスの第一のタイムチャートレシピの一例を説明する図である。
【図５】図３のシーケンスの第一のタイムチャートレシピの他例を説明する図である。
【図６】図５の第一のタイムチャートレシピの数値例を示す図である。
【図７】図３のシーケンスの第二のタイムチャートレシピの一例を説明する図である。
【図８】図７の第二のタイムチャートレシピの数値例を示す図である。
【図９】第三のタイムチャートレシピを説明する図である。
【図１０】図９の第三のタイムチャートレシピの一例を説明する図である。
【図１１】第四のタイムチャートレシピを説明する図である。
【図１２】第五のタイムチャートレシピを説明する図である。
【図１３】第六のタイムチャートレシピを説明する図である。
【図１４】第一動作例の突上げシーケンスを示す図である。
【図１５】第一動作例の突上げシーケンスのブロック動作タイミングを示す図である。
【図１６】第二動作例の突上げシーケンスを示す図である。
【図１７】第二動作例の突上げシーケンスのブロック動作タイミングを示す図である。
【図１８】第三動作例の突上げシーケンスを示す図である。
【図１９】第四動作例の突上げシーケンスを示す図である。
【図２０】実施例に係るダイボンダを上から見た概念図である。
【図２１】図２０において矢印Ａ方向から見たときにピックアップヘッドおよびボンディングヘッドの動作を説明する図である。
【図２２】図２０のダイ供給部の外観斜視図を示す図である。
【図２３】図２０のダイ供給部の主要部を示す概略断面図である。
【図２４】図２２の突上げユニットの外観斜視図である。
【図２５】図２４の第１ユニットの一部の上面図である。
【図２６】図２４の第２ユニットの一部の上面図である。
【図２７】図２４の第３ユニットの一部の上面図である。
【図２８】図２４の突上げユニットの縦断面図である。
【図２９】図２４の突上げユニットの縦断面図である。
【図３０】実施例に係る突上げユニットとピックアップヘッドのうちコレット部との構成を示した図である。
【図３１】図２０のダイボンダの制御系の概略構成を示すブロック図である。
【図３２】図２０のダイボンダのピックアップ動作を説明するためのフローチャートである。
【図３３】実施例に係る半導体装置の製造方法を説明するためのフローチャートである。
【発明を実施するための形態】
【００１１】
以下、実施形態および実施例について、図面を用いて説明する。ただし、以下の説明において、同一構成要素には同一符号を付し繰り返しの説明を省略することがある。なお、図面は説明をより明確にするため、実際の態様に比べ、各部の幅、厚さ、形状等について模式的に表される場合があるが、あくまで一例であって、本発明の解釈を限定するものではない。
【００１２】
＜実施形態＞
まず、実施形態における半導体製造装置について図１を用いて説明する。図１は実施形態における半導体装置の構成を示す概略図である。
【００１３】
実施形態における半導体製造装置１００は、メインコントローラ８１ａと作動コントローラ８１ｂとモニタ８３ａとタッチパネル８３ｂとブザー８３ｇとを有する制御部を備える。半導体製造装置１００は、さらに、作動コントローラ８１ｂに制御されるＸＹテーブル８６ａとＺ駆動部８６ｂと突上げユニットＴＵとを備える。半導体製造装置１００は、さらに、Ｚ駆動部８６ｂにより上下動するヘッド（ボンディングヘッドまたはピックアップヘッド）ＢＨとヘッドＢＨの先端に設けられるコレットＣＬＴとを備える。半導体製造装置１００は、さらに、突上げユニットＴＵの位置を検出するセンサ８７ａと圧力および流量を検出するセンサ８７ｂとコレットＣＬＴのガス流量を検知するセンサ８７ｃを備える。突上げユニットＴＵはダイシングテープを真空吸着する機能とダイシングテープにエアーを吹き上げる機能とを備える。
【００１４】
次に、複数段の突上げブロックを有する突上げユニットＴＵについて図２を用いて説明する。図２はダイシングテープに接している状態の突上げユニットの要部断面図である。
【００１５】
突上げユニットＴＵはブロックＢＬＫ１〜ＢＬＫ４を有するブロック部ＢＬＫと、ダイシングテープＤＴを吸着する複数の吸引孔（不図示）を有するドームヘッドＤＰと、を有する。四つのブロックＢＬＫ１〜ＢＬＫ４はニードルＮＤＬ４〜ＮＤＬ１により独立に上下運動が可能である。同心四角状のブロックＢＬＫ１〜ＢＬＫ４の平面形状はダイＤの形状に合うように構成される。
【００１６】
例えば、突上げユニットＴＵは、ブロックＢＬＫ１〜ＢＬＫ４を同時に突上げ、その後さらに、ブロックＢＬＫ２〜ＢＬＫ４を同時に突上げ、その後さらに、ブロックＢＬＫ３，ＢＬＫ４を同時に突上げ、その後さらに、ブロックＢＬＫ４を突上げてピラミッド状にしたり、ブロックＢＬＫ１〜ＢＬＫ４を同時に突上げてからブロックＢＬＫ１、ブロックＢＬＫ２、ブロックＢＬＫ３の順に下げたりする。後者を本開示ではＲＭＳ（Reverse Multi Step）という。
【００１７】
ＲＭＳの動作について図３、４を用いて説明する。図３はＲＭＳの突上げシーケンスの一例を示す断面図であり、図３（ａ）は第一状態を示す図、図３（ｂ）は第二状態を示す図、図３（ｃ）は第三状態を示す図、図３（ｄ）は第四状態を示す図である。図４は図３のシーケンスの第一のタイムチャートレシピの一例を説明する図であり、図４（ａ）は図３のシーケンスのブロック動作タイミングの一例を示す図であり、図４（ｂ）は図４（ａ）のブロック動作タイミングに対応するタイムチャートレシピの一例を示す図である。
【００１８】
ピックアップ動作はダイシングテープＤＴ上の目的とするダイＤが突上げユニットＴＵとコレットＣＬＴに位置決めされるところから開始する。位置決めが完了すると突上げユニットＴＵの図示していない吸引孔および間隙を介して真空引きすることによって、ダイシングテープＤＴが突上げユニットＴＵの上面に吸着される。このとき、ブロックＢＬＫ１〜ＢＬＫ４の上面はドームプレートＤＰの上面と同一の高さ（初期位置）にある。その状態で真空供給源から真空が供給され、コレットＣＬＴがダイＤのデバイス面に向けて真空引きしながら降下し、着地する。
【００１９】
その後、図３（ａ）に示すように、ブロックＢＬＫ１〜ＢＬＫ４が同時に所定の高さ（ｈ１）まで一定の速度（ｓ１）で上昇して第一状態（State1）になる。ここで、図４（ａ）に示すように、ブロックＢＬＫ１〜ＢＬＫ４がｈ１に到達する時間をｔ１とすると、ｔ１＝ｈ１／ｓ１である。その後、所定時間（ｔ２）待機する。ダイＤはコレットＣＬＴとブロックＢＬＫ１〜ＢＬＫ４に挟まれたまま上昇するが、ダイシングテープＤＴの周辺部は突上げユニットＴＵの周辺であるドームプレートＤＰに真空吸着されたままなので、ダイＤの周辺で張力が生じ、その結果、ダイＤ周辺でダイシングテープＤＴの剥離が開始されることになる。
【００２０】
続いて、図３（ｂ）に示すように、ブロックＢＬＫ１がドームプレートＤＰの上面よりも下の所定の高さ（−ｈ２）に一定の速度（ｓ２）で下降して第二状態（State2）になる。ここで、図４（ａ）に示すように、ブロックＢＬＫ１が所定の高さ（−ｈ２）に到達する時間をｔ３とすると、ｔ３＝（ｈ１＋ｈ２）／ｓ２である。ブロックＢＬＫ１がドームプレートＤＰの上面よりも下がることにより、ダイシングテープＤＴの支えがなくなり、ダイシングテープＤＴの張力によりダイシングテープＤＴの剥離が進行する。
【００２１】
続いて、図３（ｃ）に示すように、ブロックＢＬＫ２がドームプレートＤＰの上面よりも下の所定の高さ（−ｈ２）に一定の速度（ｓ２）で下降して第三状態（State3）になる。ここで、図４（ａ）に示すように、ブロックＢＬＫ２が所定の高さ（−ｈ２）に到達する時間をｔ４とすると、ｔ４＝（ｈ１＋ｈ２）／ｓ２である。ブロックＢＬＫ２がドームプレートＤＰの上面よりも下がることにより、ダイシングテープＤＴの支えがなくなり、ダイシングテープＤＴの張力によりダイシングテープＤＴの剥離がさらに進行する。
【００２２】
続いて、図３（ｄ）に示すように、ブロックＢＬＫ３がドームプレートＤＰの上面よりも下の所定の高さ（−ｈ２）に一定の速度（ｓ２）で下降して第四状態（State4）になる。ここで、図４（ａ）に示すように、ブロックＢＬＫ３が所定の高さ（−ｈ２）に到達する時間をｔ５とすると、ｔ５＝（ｈ１＋ｈ２）／ｓ２である。ブロックＢＬＫ３がドームプレートＤＰの上面よりも下がることにより、ダイシングテープＤＴの支えがなくなり、ダイシングテープＤＴの張力によりダイシングテープＤＴの剥離がさらに進行する。
【００２３】
その後、コレットＣＬＴを上方に引き上げる。また、図４（ａ）に示すように、第四状態から所定時間（ｔ６）後ブロックＢＬＫ１〜ＢＬＫ３が一定の速度（ｓ３）で上昇し、ブロックＢＬＫ４が一定の速度（ｓ４）で下降し初期位置に戻る。ここで、ブロックＢＬＫ１〜ＢＬＫ３が初期位置に到達する時間をｔ８とすると、ｔ８＝ｈ２／ｓ３であり、ブロックＢＬＫ４が初期位置に到達する時間をｔ９とすると、ｔ９＝ｈ１／ｓ４である。これにより、ダイＤをダイシングテープＤＴから剥がす作業が完了する。
【００２４】
次に、ＲＭＳの動作の設定方法および制御について図４を用いて説明する。
図４（ｂ）に示すように、突上げユニットＴＵの各ブロックＢＬＫ１，ＢＬＫ２，ＢＬＫ３，ＢＬＫ４の動作を、ブロック毎およびステップ毎にステップの時間、ブロックの上昇または下降の速度、ブロックの高さ（位置）が設定される第一のタイムチャートレシピに基づいてメインコントローラ８１ａおよび作動コントローラ８１ｂは各ブロックＢＬＫ１，ＢＬＫ２，ＢＬＫ３，ＢＬＫ４をそれぞれ駆動するニードルＮＤＬ４、ＮＤＬ３，ＮＤＬ２，ＮＤＬ１を制御するよう構成される。
【００２５】
設定項目の異なる複数のタイムチャートレシピを用意しておき、ユーザは、ＧＵＩ（Graphical User Interface）によって複数のタイムチャートレシピから一つのタイムチャートレシピを選択し、選択したタイムチャートレシピの項目に設定値を入力する。または、ユーザは、予め設定値が入力されたタイムチャートレシピを外部機器からダイボンダ等の半導体製造装置にデータ通信するか、または、外部記憶装置（例えば、磁気テープ、フレキシブルディスクやハードディスク等の磁気ディスク、ＣＤやＤＶＤ等の光ディスク、ＭＯ等の光磁気ディスク、ＵＳＢメモリやメモリカード等の半導体メモリ）から半導体製造装置にインストールする。また、メインコントローラ８１ａはセンサ８７ａ，８７ｂ，８７ｃ等により検知した状態に基づいてリアルタイムにタイムチャートレシピを書換えて作動コントローラ８１ｂに指示して突上げ動作の変更が可能である。
【００２６】
（第一のタイムチャートレシピ）
図４（ｂ）の第一のタイムチャートレシピに基づく動作について詳細に説明する。
【００２７】
（１）ブロックＢＬＫ１
第一ステップ（ＳＴＥＰ１）の時間は、（ｔ１＋ｔ２）であり、作動コントローラ８１ｂはブロックＢＬＫ１を第一ステップの始まりからｓ１の速度でｈ１の高さまで上昇させ、ｈ１の高さで状態を維持する。ブロックＢＬＫ１の第一ステップ（ＳＴＥＰ１）は図３（ａ）の第一状態に対応する。
【００２８】
第二ステップ（ＳＴＥＰ２）の時間は、（ｔ３＋ｔ４＋ｔ５＋ｔ６）であり、作動コントローラ８１ｂはブロックＢＬＫ１を第二ステップの始まりからｓ２の速度で−ｈ２の高さまで下降させ、−ｈ２の高さで状態を維持する。ブロックＢＬＫ１の第二ステップ（ＳＴＥＰ２）は図３（ｂ）の第二状態から第四状態に対応する。
【００２９】
第三ステップ（ＳＴＥＰ３）の時間は、ｔ７であり、作動コントローラ８１ｂはブロックＢＬＫ１を第三ステップの始まりからｓ３の速度で初期位置（高さが０）まで上昇させる。
【００３０】
（２）ブロックＢＬＫ２
第一ステップ（ＳＴＥＰ１）の時間は、（ｔ１＋ｔ２＋ｔ３）であり、作動コントローラ８１ｂはブロックＢＬＫ２を第一ステップの始まりからｓ１の速度でｈ１の高さまで上昇させ、ｈ１の高さで状態を維持する。ブロックＢＬＫ２の第一ステップ（ＳＴＥＰ１）は図３（ａ）の第一状態および図３（ｂ）の第二状態に対応する。
【００３１】
第二ステップ（ＳＴＥＰ２）の時間は、（ｔ４＋ｔ５＋ｔ６）であり、作動コントローラ８１ｂはブロックＢＬＫ２を第二ステップの始まりからｓ２の速度で−ｈ２の高さまで下降させ、−ｈ２の高さで状態を維持する。ブロックＢＬＫ２の第二ステップ（ＳＴＥＰ２）は図３（ｃ）の第三状態および図３（ｄ）の第四状態に対応する。
【００３２】
第三ステップ（ＳＴＥＰ３）の時間は、ｔ７であり、作動コントローラ８１ｂはブロックＢＬＫ２を第三ステップの始まりからｓ３の速度で初期位置（高さが０）まで上昇させる。
【００３３】
（３）ブロックＢＬＫ３
第一ステップ（ＳＴＥＰ１）の時間は、（ｔ１＋ｔ２＋ｔ３＋ｔ４）であり、作動コントローラ８１ｂはブロックＢＬＫ３を第一ステップの始まりからｓ１の速度でｈ１の高さまで上昇させ、ｈ１の高さで状態を維持する。ブロックＢＬＫ３の第一ステップ（ＳＴＥＰ１）は図３（ａ）の第一状態、図３（ｂ）の第二状態および図３（ｃ）第三状態に対応する。
【００３４】
第二ステップ（ＳＴＥＰ２）の時間は、図４に示すように、（ｔ５＋ｔ６）であり、作動コントローラ８１ｂはブロックＢＬＫ３を第二ステップの始まりからｓ２の速度で−ｈ２の高さまで下降させ、−ｈ２の高さで状態を維持する。ブロックＢＬＫ３の第二ステップ（ＳＴＥＰ２）は図３（ｄ）の第四状態に対応する。
【００３５】
第三ステップ（ＳＴＥＰ３）の時間は、ｔ７であり、作動コントローラ８１ｂはブロックＢＬＫ３を第三ステップの始まりからｓ３の速度で初期位置（高さが０）まで上昇させる。
【００３６】
（４）ブロックＢＬＫ４
第一ステップ（ＳＴＥＰ１）の時間は、図４に示すように、（ｔ１＋ｔ２＋ｔ３＋ｔ４＋ｔ５＋ｔ６）であり、作動コントローラ８１ｂはブロックＢＬＫ４を第一ステップの始まりから図４の第一のタイムチャートレシピで設定されたｓ１の速度でｈ１の高さまで上昇させ、ｈ１の高さで状態を維持する。ブロックＢＬＫ４の第一ステップ（ＳＴＥＰ１）は図３（ａ）の第一状態、図３（ｂ）の第二状態、図３（ｃ）の第三状態および図３（ｄ）の第四状態に対応する。
【００３７】
第二ステップ（ＳＴＥＰ２）の時間は、ｔ７であり、作動コントローラ８１ｂはブロックＢＬＫ４を第二ステップの始まりからｓ４の速度で初期位置（高さが０）まで下降させる。
【００３８】
（第一のタイムチャートレシピによる異なる動作タイミング例）
図３のシーケンスのブロック動作タイミングの他例について図５、６を用いて説明する。図５は図３のシーケンスの第一のタイムチャートレシピの他例を説明する図であり、図５（ａ）は図３のシーケンスのブロック動作タイミングの他例を示す図であり、図５（ｂ）は図５（ａ）のブロック動作タイミングに対応するタイムチャートレシピの一例を示す図である。図６は図５（ｂ）のタイムチャートレシピの数値例を示す図である。
【００３９】
図４のブロック動作タイミングでは、ブロックＢＬＫ２，ＢＬＫ３の下降動作はブロックＢＬＫ１，ＢＬＫ２の下降動作後に開始するが、図５のブロック動作タイミングでは、ブロックＢＬＫ１，ＢＬＫ２の下降動作中に、ブロックＢＬＫ２，ＢＬＫ３の下降動作を開始する。図５（ｂ）の第一のタイムチャートレシピの「時間」に設定される時間は図４（ｂ）の第一のタイムチャートレシピの「時間」に設定される時間よりも短い点を除いて、図５（ｂ）の第一のタイムチャートレシピは図４（ｂ）の第一のタイムチャートレシピと同様である。
【００４０】
図５（ｂ）のタイムチャートレシピの図４（ｂ）のタイムチャートレシピとの差異について説明する。
【００４１】
（１）ブロックＢＬＫ１
図５（ｂ）の第一のタイムチャートレシピのブロックＢＬＫ１に対する設定値は、第三ステップ（ＳＴＥＰ３）を除いて、図４（ｂ）の第一のタイムチャートレシピのブロックＢＬＫ１に対する設定値と同様である。図５（ｂ）の第二ステップ（ＳＴＥＰ２）の（ｔ４’＋ｔ５’＋ｔ６）の時間は図４（ｂ）の第二ステップ（ＳＴＥＰ２）の（ｔ４＋ｔ５＋ｔ６）の時間より短くなっている。ここで、ｔ４’＜ｔ４、ｔ５’＜ｔ５である。
【００４２】
（２）ブロックＢＬＫ２
図５（ｂ）の第一のタイムチャートレシピのブロックＢＬＫ２に対する設定値は、第一ステップ（ＳＴＥＰ１）、第二ステップ（ＳＴＥＰ２）を除いて、図４（ｂ）の第一のタイムチャートレシピのブロックＢＬＫ２に対する設定値と同様である。
第一ステップ（ＳＴＥＰ１）の時間は、図５（ｂ）に示すように、（ｔ１＋ｔ２＋ｔ１０）であり、図４（ｂ）の（ｔ１＋ｔ２＋ｔ３）よりも短くなっている。ここで、ｔ１０＜ｔ３である。
【００４３】
第二ステップ（ＳＴＥＰ２）の時間は、図５（ｂ）に示すように、（ｔ３−ｔ１０＋ｔ４’＋ｔ５’＋ｔ６）であり、図４（ｂ）の（ｔ４＋ｔ５＋ｔ６）よりも短くなっている。ここで、ｔ３−ｔ１０＋ｔ４’＝ｔ４、ｔ５’＜ｔ５である。
【００４４】
（３）ブロックＢＬＫ３
図５（ｂ）の第一のタイムチャートレシピのブロックＢＬＫ３に対する設定値は、第一ステップ（ＳＴＥＰ１）および第二ステップ（ＳＴＥＰ２）を除いて、図４（ｂ）の第一のタイムチャートレシピのブロックＢＬＫ３に対する設定値と同様である。
【００４５】
第一ステップ（ＳＴＥＰ１）の時間は、図５（ｂ）に示すように、（ｔ１＋ｔ２＋ｔ１０＋ｔ１１）であり、図４（ｂ）の（ｔ１＋ｔ２＋ｔ３＋ｔ４）よりも短くなっている。ここで、ｔ１０＜ｔ３、ｔ１１＜ｔ４である。
【００４６】
第二ステップ（ＳＴＥＰ２）の時間は、図５（ｂ）に示すように、（ｔ３＋ｔ４’＋ｔ５’−ｔ１０−ｔ１１＋ｔ６）であり、図４（ｂ）の（ｔ５＋ｔ６）と同じである。ここで、ｔ５＝（ｔ３＋ｔ４’＋ｔ５’−ｔ１０−ｔ１１）である。
【００４７】
（４）ブロックＢＬＫ４
図５（ｂ）の第一のタイムチャートレシピのブロックＢＬＫ４に対する設定値は、第一ステップ（ＳＴＥＰ１）除いて、図４（ｂ）の第一のタイムチャートレシピのブロックＢＬＫ４に対する設定値と同様である。
【００４８】
第一ステップ（ＳＴＥＰ１）の時間は、図５（ｂ）に示すように、（ｔ１＋ｔ２＋ｔ３＋ｔ４’＋ｔ５’＋ｔ６）であり、図４（ｂ）の（ｔ１＋ｔ２＋ｔ３＋ｔ４＋ｔ５＋ｔ６）よりも短くなっている。ここで、ｔ４’＜ｔ４、ｔ５’＜ｔ５である。
【００４９】
図６は図５（ｂ）において、ｔ１＝４０ｍｓ、ｔ２＝５０ｍｓ、ｔ３＝５０ｍｓ、ｔ４’＝ｔ５’＝１０ｍｓ、ｔ６＝６０ｍｓ、ｔ７＝３０ｍｓ、ｔ１０＝ｔ１１＝１０ｍｓ、ｓ１＝ｓ２＝ｓ３＝ｓ４＝５ｍｍ／ｓ、ｈ１＝２００μｍ、−ｈ２＝−５０μｍ、とした例である。
【００５０】
（第二のタイムチャートレシピ）
図５（ａ）のブロック動作タイミングは別のタイムチャートレシピ（第二のタイムチャートレシピ）でも設定することができる。第二のタイムチャートレシピについて図７、８を用いて説明する。
【００５１】
図７は図３のシーケンスの第二のタイムチャートレシピの一例を説明する図であり、図７（ａ）は図５（ａ）と同じブロック動作タイミングを示す図であり、図７（ｂ）は図５（ａ）のブロック動作タイミングに対応する第二のタイムチャートレシピの一例を示す図である。図８は図７（ｂ）のタイムチャートレシピの数値例を示す図である。
【００５２】
図７（ｂ）に示すように、第二のタイムチャートレシピは、図４（ｂ）の第一のタイムチャートレシピの時間の代わりに、各ブロックの動作を指示したブロック位置に到達したことを優先として各ステップを終了し、各ブロック間の処理時間の調整に動作時間差（時間差またはインターバル時間）を入力して各ブロック動作を実行する。言い換えると、時間差は各ブロックの上昇または下降が終了してから次のステップの開始する時間である。これにより、各ブロックの動作をステップ毎に確実に実施した上で、他のブロックとの動作の同期も取って動作させることができる。
【００５３】
第一のタイムチャートレシピでは各ステップの長さを時間で設定しているが、第二のタイムチャートレシピでは各ステップにおけるブロックの上昇または下降が終了してから次のステップにおけるブロックの上昇または下降が始まるまでの時間（以下、時間差またはインターバル時間という）で設定する。第二のタイムチャートレシピの「速度」および「高さ（位置）」は第一のタイムチャートレシピと同様である。
【００５４】
図７（ｂ）の第二のタイムチャートレシピに設定する「時間差」について説明する。
【００５５】
（１）ブロックＢＬＫ１
図７（ｂ）の第二のタイムチャートレシピのブロックＢＬＫ１に対する「時間差」の設定値は、図７（ａ）に示すように、第一ステップ（ＳＴＥＰ１）でｔ２、第二ステップ（ＳＴＥＰ２）で（ｔ４’＋ｔ５’＋ｔ６）、第三ステップ（ＳＴＥＰ３）でｔ９である。
【００５６】
（２）ブロックＢＬＫ２
図７（ｂ）の第二のタイムチャートレシピのブロックＢＬＫ２に対する「時間差」の設定値は、図７（ａ）に示すように、第一ステップ（ＳＴＥＰ１）で（ｔ２＋ｔ１０）、第二ステップ（ＳＴＥＰ２）で（ｔ５’＋ｔ６）、第三ステップ（ＳＴＥＰ３）でｔ９である。
【００５７】
（３）ブロックＢＬＫ３
図７（ｂ）の第二のタイムチャートレシピのブロックＢＬＫ２に対する「時間差」の設定値は、図７（ａ）に示すように、第一ステップ（ＳＴＥＰ１）で（ｔ２＋ｔ１０＋ｔ１１）、第二ステップ（ＳＴＥＰ２）でｔ６、第三ステップ（ＳＴＥＰ３）でｔ９である。
【００５８】
（４）ブロックＢＬＫ４
図７（ｂ）の第二のタイムチャートレシピのブロックＢＬＫ２に対する「時間差」の設定値は、図７（ａ）に示すように、第一ステップ（ＳＴＥＰ１）で（ｔ２＋ｔ３＋ｔ４’＋ｔ５’＋ｔ６）、第二ステップ（ＳＴＥＰ２）で０である。
【００５９】
図８は図７（ｂ）において、ｔ２＝５０ｍｓ、ｔ３＝５０ｍｓ、ｔ４’＝ｔ５’＝１０ｍｓ、ｔ６＝６０ｍｓ、ｔ９＝２０ｍｓ、ｔ１０＝ｔ１１＝１０ｍｓ、ｓ１＝ｓ２＝ｓ３＝ｓ４＝５ｍｍ／ｓ、ｈ１＝２００μｍ、−ｈ２＝−５０μｍ、とした例である。
【００６０】
（第三のタイムチャートレシピ）
タイムチャートレシピの別例について図９、１０を用いて説明する。図９は第三のタイムチャートレシピを示す図である。図１０は図９の第三のタイムチャートレシピの一例を説明する図であり、図１０（ａ）は図９の第三のタイムチャートレシピの数値例を示す図であり、図１０（ｂ）は図１０（ａ）の第三のタイムチャートレシピに対応するブロック動作タイミングの一例を示す図である。
【００６１】
図９に示すように、第三のタイムチャートレシピは、図４（ｂ）の第一のタイムチャートレシピの項目に加えて、ブロック毎の加速度の項目を有する。図１０（ａ）に示すような数値を設定すると、図１０（ｂ）に示すようなブロック動作タイミングになる。ここで、ｈ１＝２００μｍ、−ｈ２＝−５０μｍ、ｈ３＝２５μｍ、ｈ４＝１７５μｍ、−ｈ５＝−２５μｍである。これにより各ブロックＢＬＫ１〜ＢＬＫ４の上昇速度を変化させる非線形の動作を可能とする。
【００６２】
（その他のタイムチャートレシピ）
タイムチャートレシピの他例について図１１〜１３を用いて説明する。図１１は第四のタイムチャートレシピを示す図である。図１２は第五のタイムチャートレシピを示す図である。図１３は第六のタイムチャートレシピを示す図である。タイムチャートレシピのステップ（ＳＴＥＰ）は４の例を示しているが、ステップは４に限定されるものではなく、４未満でも５以上であってもよい。
【００６３】
図１１に示すように、第四のタイムチャートレシピは、第三のタイムチャートレシピと同様に加速度の項目を有し、指示したブロックの位置（高さ）に到達したことを優先として各ステップを終了し、次ぎのステップに進行する。これにより、動作速度の個体差等がある場合でも確実にブロック動作が終了した時点で、他の動作へ移行することができる。また、図１０に示すように、他の突上げブロックとの同期合わせのための動作終了後の待ち時間（タイマ時間）の項目を有する。また、第三のタイムチャートレシピと同様に、上昇速度を変形させるなどの非線形の動作を可能とすることができる。
【００６４】
図１２に示すように、第五のタイムチャートレシピは、第二のタイムチャートレシピの動作設定項目に加えて、各ステップの基準時間を設け、各ブロックの動作を指示したブロック位置に到達したことを優先として各ステップを終了し、各ブロック間の処理時間の調整に動作時間差を入力して各ブロック動作を実行する。これにより、各ブロックの動作をステップ毎に確実に実施した上で、他のブロックとの動作の同期も取って動作させ、また上昇速度を変形させるなどの非線形の動作を可能とすることができる。
【００６５】
図１３に示すように、第六のタイムチャートレシピは、第三のタイムチャートレシピの速度および加速度の項目に代えて速度算定値、加速算定値の項目を有し、速度、加速度、動作時間（時間）、高さ（位置）を算出する関数を入力して、計算結果による入力値で動作を行う。これにより、より複雑な非線形の動作を行うことができる。
【００６６】
上述したように、タイムチャートレシピの設定により、突上げユニットＴＵの各ブロックＢＬＫ１〜ＢＬＫ４の動作を突上げ動作ステップの中で自由に設定することが可能であり、突上げユニットＴＵは種々の動作が可能である。その動作例を以下に説明する。
【００６７】
［第一動作例］
図３のＲＭＳの突上げシーケンスの一部を変更した第一動作例の突上げシーケンスについて図１４、１５を用いて説明する。図１４（ａ）は第一動作例の突上げブロックシーケンスの第一状態を示す図である。図１４（ｂ）は第一動作例の突上げブロックシーケンスの第二状態を示す図である。図１４（ｃ）は第一動作例の突上げブロックシーケンスの第三状態を示す図である。図１４（ｄ）は第一動作例の突上げブロックシーケンスの第四状態を示す図である。図１５は図１４のシーケンスのブロック動作タイミングの一例を示す図である。
【００６８】
図１４（ａ）に示すように、第一ステップ（ＳＴＥＰ１）では、ブロックＢＬＫ1〜ＢＬＫ４をサイクル高さ（ここでは０）からダイＤの外周がダイシングテープＤＴから剥離する高さ以上に上昇させて第一状態にする。例えば、ブロックＢＬＫ1〜ＢＬＫ４の突上げ高さは２５０μｍとし、ブロックＢＬＫ1〜ＢＬＫ４の突上げ速度は１ｍｍ／ｓとすると、第一ステップの長さは２５０ｍｓである。ブロックＢＬＫ1〜ＢＬＫ４の上昇により、ダイＤの外周のダイシングテープＤＴからの剥離が発生する。
【００６９】
図１４（ｂ）に示すように、第二ステップ（ＳＴＥＰ２）では、ブロックＢＬＫ２〜ＢＬＫ４をさらに上昇させて初期突上げ高さにする一方、ブロックＢＬＫ１の上面におけるダイＤがダイシングテープＤＴから剥離する段差を確保するためブロックＢＬＫ１を下降させて第二状態にする。例えば、ブロックＢＬＫ1〜ＢＬＫ４の突上げ高さはそれぞれ１００μｍ、３５０μｍ、３４０μｍ、３３０μｍとし、ブロックＢＬＫ１〜ＢＬＫ４の突上げ速度は１ｍｍ／ｓとする。第二ステップの長さは１１５０ｍｓである。これにより、ブロックＢＬＫ１の上面（ブロックＢＬＫ２のエッジ）まで、ダイＤのダイシングテープＤＴからの剥離が進行する。このとき、コレットＣＬＴはダイＤを完全に吸着する。この動作までを、初期剥離動作（ダイ外周剥離動作）とする。
【００７０】
図１４（ｃ）に示すように、第三ステップ（ＳＴＥＰ３）では、ブロックＢＬＫ１、ブロックＢＬＫ２をサイクル高さまで所定の速度で下降させる。例えば、ブロックＢＬＫ1，ＢＬＫ２の突上げ速度（下降速度）は５ｍｍ／ｓとする。第三ステップの長さは１７０ｍｓである。ブロックＢＬＫ２の上面（ブロックＢＬＫ３のエッジ）まで、ダイＤのダイシングテープＤＴからの剥離が進行する。このとき、ダイＤはコレットＣＬＴに吸着されていて、ブロックＢＬＫ１の上面は剥離済みであり、ブロックＢＬＫ１の下降時のダイＤに変形がないか、変形があっても極少量である。
【００７１】
図１４（ｄ）に示すように、第四ステップ（ＳＴＥＰ４）では、ブロックＢＬＫ３をサイクル高さまで所定の速度で下降させる。例えば、ブロックＢＬＫ1，ＢＬＫ２の突上げ速度（下降速度）は５ｍｍ／ｓとする。ダイＤの裏面はブロックＢＬＫ４のエッジまでダイシングテープＤＴから剥離する。
【００７２】
上述したように、第一ステップおよび第二ステップで初期突上げ高さまでの上昇中に、ダイＤの外周のダイシングテープＤＴからの剥離とブロックＢＬＫ１上面までのダイＤのダイシングテープＤＴからの剥離を進行させる。この後の第三ステップで、ブロックＢＬＫ１の下降動作を行うことにより、ダイの変形を最小に抑えることができる。
【００７３】
［第二動作例］
第二動作例の突上げシーケンスについて図１６、１７を用いて説明する。図１６（ａ）は第二動作例の突上げブロックシーケンスの第一状態を示す図である。図１６（ｂ）は第二動作例の突上げブロックシーケンスの第二状態を示す図である。図１６（ｃ）は第二動作例の突上げブロックシーケンスの第三状態を示す図である。図１６（ｄ）は第二動作例の突上げブロックシーケンスの第四状態を示す図である。図１７は図１６のシーケンスのブロック動作タイミングの一例を示す図である。
【００７４】
図１６（ａ）に示すように、第一ステップ（ＳＴＥＰ１）では、ブロックＢＬＫ1〜ＢＬＫ４を所定の高さまで所定の速度で上昇させて第一状態にする。例えば、ブロックＢＬＫ1〜ＢＬＫ４の突上げ高さは、それぞれ１７５μｍ、１５０μｍ、１２５μｍ、１００μｍとし、ブロックＢＬＫ１〜ＢＬＫ４の突上げ速度は１ｍｍ／ｓとする。第一ステップの長さは１７５ｍｓである。ブロックＢＬＫ1〜ＢＬＫ４の上昇により、ダイＤの外周のダイシングテープＤＴからの剥離が発生する。
【００７５】
図１６（ｂ）に示すように、第二ステップ（ＳＴＥＰ２）では、ブロックＢＬＫ1〜ＢＬＫ４を所定の高さまで所定の速度で下降させ、1stブロックＢＬＫ1を更に下降させて第二状態にする。ブロックＢＬＫ1〜ＢＬＫ４の突上げ高さは、例えばそれぞれ−１７５μｍ、０μｍ、−２５μｍ、−５０μｍとし、ブロックＢＬＫ１〜ＢＬＫ４の突上げ速度（下降速度）は１ｍｍ／ｓとする。第二ステップの長さは８５０ｍｓである。ブロックＢＬＫ1の上面のダイＤがダイシングテープＤＴから剥離する。剥離したダイＤの外周部をドームプレートＤＰの上面とコレットＣＬＴで挟んだ状態で、ブロックＢＬＫ１の上面のダイＤをダイシングテープＤＴから剥離することにより、ダイＤの変形を低減する。
【００７６】
図１６（ｃ）に示すように、第三ステップ（ＳＴＥＰ３）では、ブロックＢＬＫ２〜ＢＬＫ４を所定の高さまで所定の速度で上昇させて第三状態にする。ブロックＢＬＫ１〜ＢＬＫ４の突上げ高さは、例えばそれぞれ−１７５μｍ、３００μｍ、２７５μｍ、２５０μｍとし、ブロックＢＬＫ２〜ＢＬＫ４の突上げ速度は１ｍｍ／ｓとする。第三ステップの長さは８５０ｍｓである。
【００７７】
図１６（ｄ）に示すように、第四ステップ（ＳＴＥＰ４）では、ブロックＢＬＫ２を所定の高さまで所定の速度で下降させて第四状態にする。ブロックＢＬＫ１〜ＢＬＫ４の突上げ高さは、例えばそれぞれ−１７５μｍ、０μｍ、２７５μｍ、２５０μｍとし、ブロックＢＬＫ２の突上げ速度（下降速度）は５ｍｍ／ｓとする。第四ステップの長さは１６０ｍｓである。
【００７８】
［第三動作例］
第三動作例の突上げシーケンスについて図１８を用いて説明する。図１８は第三動作例の突上げブロックシーケンスを示す図である。
【００７９】
第零ステップ（ＳＴＥＰ０）ではブロックＢＬＫ１〜ＢＬＫ４を待機位置（高さ０μｍ）に置く。
【００８０】
第一ステップ（ＳＴＥＰ１）ではブロックＢＬＫ１〜ＢＬＫ４を所定の高さまで所定の速度で上昇させる。例えば、ブロックＢＬＫ１〜ＢＬＫ４の突上げ高さは、それぞれ２００μｍとし、ブロックＢＬＫ１〜ＢＬＫ４の突上げ速度は、１ｍｍ／ｓとする。ダイＤの外周はダイシングテープＤＴから剥離する。よって、ダイＤの外周のダイシングテープＤＴからの剥離時のブロック段差は２００μｍである。
【００８１】
第二ステップ（ＳＴＥＰ２）ではブロックＢＬＫ１を所定の高さまで所定の速度で下降させ、ＢＬＫ２〜ＢＬＫ４を所定の高さまで所定の速度で上昇させる。例えば、ブロックＢＬＫ１〜ＢＬＫ４の突上げ高さは、それぞれ１００μｍ、３００μｍ、３００μｍ、３００μｍとし、ブロックＢＬＫ１〜ＢＬＫ４の突上げ速度（下降速度または上昇速度）はそれぞれ５ｍｍ／ｓとする。１ブロックＢＬＫ１の上面のダイＤがダイシングテープＤＴから剥離する。ブロックＢＬＫ１が５ｍｍ／ｓで１００μｍ下降し、ブロックＢＬＫ２〜ＢＬＫ４が５ｍｍ／ｓで１００μｍ上昇する。
【００８２】
第三ステップ（ＳＴＥＰ３）ではブロックＢＬＫ１，ＢＬＫ２を所定の高さまで所定の速度で下降させ、ＢＬＫ３，ＢＬＫ４を所定の高さまで所定の速度で上昇させる。例えば、ブロックＢＬＫ１〜ＢＬＫ４の突上げ高さは、それぞれ０μｍ、２００μｍ、４００μｍ、４００μｍとし、ブロックＢＬＫ１〜ＢＬＫ４の突上げ速度（下降速度または上昇速度）はそれぞれ５ｍｍ／ｓとする。ブロックＢＬＫ２の上面のダイＤがダイシングテープＤＴから剥離する。ブロックＢＬＫ２が５ｍｍ／ｓで１００μｍ下降し、ブロックＢＬＫ３，ＢＬＫ４が５ｍｍ／ｓで１００μｍ上昇する。
【００８３】
第四ステップ（ＳＴＥＰ４）ではブロックＢＬＫ１〜ＢＬＫ３を所定の高さまで所定の速度で下降させ、ＢＬＫ４を所定の高さまで所定の速度で上昇させる。例えば、ブロックＢＬＫ１〜ＢＬＫ４の突上げ高さは、それぞれ０μｍ、１００μｍ、３００μｍ、５００μｍとし、ブロックＢＬＫ１〜ＢＬＫ４の突上げ速度（下降速度または上昇速度）はそれぞれ５ｍｍ／ｓとする。３ブロックＢＬＫ２の上面のダイＤがダイシングテープＤＴから剥離する。ブロックＢＬＫ３が５ｍｍ／ｓで１００μｍ下降し、ブロックＢＬＫ４が５ｍｍ／ｓで１００μｍ上昇する。
【００８４】
第三動作例では、突上げブロックを上下に動作させることで、最大速度５ｍｍ／ｓのモータを使用する場合でも、相対速度１０ｍｍ／ｓで動作させることが可能である。
【００８５】
［第四動作例］
第四動作例の突上げシーケンスについて図１９を用いて説明する。図１９は第四動作例の突上げユニットのブロックおよびコレットの動作タイミングを示す図である。
【００８６】
第三動作例までは突上げユニットＴＵのブロックＢＬＫの動作をタイムチャートレシピの設定に基づいて制御することを説明してきたが、ヘッドＢＨに設けられたコレットＣＬＴの動作も制御してもよい。この場合、突上げユニットＴＵのブロックＢＬＫに連動してコレットＣＬＴも動作する。
【００８７】
図１９に示すように、第四動作例では、作動コントローラ８１ｂはダイシングテープＤＴ上の目的とするダイＤを突上げユニットＴＵとコレットＣＬＴに位置決めするところから開始する。位置決めが完了すると、作動コントローラ８１ｂは突上げユニットＴＵの図示しない吸引孔や間隙を介して真空引きすることによって、ダイシングテープＤＴが突上げユニットＴＵの上面に吸着される（第零ステップ（ＳＴＰ０））。このとき、ブロックＢＬＫ１〜ＢＬＫ４の上面はドームプレートＤＰの上面と同一の高さ（初期位置）にある。その状態で、作動コントローラ８１ｂは真空供給源から真空を供給し、コレットＣＬＴをダイＤのデバイス面に向けて真空引きしながら所定速度で降下させ（第一ステップ（ＳＴＰ１ａ））、減速した所定速度で着地させる（第二ステップ（ＳＴＰ２ａ））。
【００８８】
その後、作動コントローラ８１ｂはブロックＢＬＫ１〜ＢＬＫ４を同時に所定の高さまでそれぞれ一定の速度で上昇させる（第一ステップ（ＳＴＰ１））。ここで、コレットＣＬＴの突上げ速度はブロックＢＬＫ１、ブロックＢＬＫ２、ブロックＢＬＫ３、ブロックＢＬＫ４の順に遅くなっている。作動コントローラ８１ｂは突上げ速度が一番早い最外周のブロックＢＬＫ１の突上げ動作に連動してコレットＣＬＴを上昇させる（第三ステップ（ＳＴＰ３ａ））。作動コントローラ８１ｂはブロックＢＬＫ１〜ＢＬＫ４の一段目の突上げ動作後所定時間経過して真空吸引によりダイシングテープＤＴの吸着を行う。
【００８９】
その後、作動コントローラ８１ｂは、ブロックＢＬＫ１〜ＢＬＫ４を同時に所定の高さまでそれぞれ一定の速度で三回上昇させる（第二ステップ（ＳＴＰ２）、第三ステップ（ＳＴＰ３）、第四ステップ（ＳＴＰ４））。このとき、作動コントローラ８１ｂは突上げ速度が一番早い最外周のブロックＢＬＫ１の突上げ動作に連動してコレットＣＬＴを上昇させる（第四ステップ（ＳＴＰ４ａ）、第五ステップ（ＳＴＰ５ａ）、第六ステップ（ＳＴＰ６ａ））。
【００９０】
作動コントローラ８１ｂは、ブロックＢＬＫ１〜ＢＬＫ４の四段目の突上げ動作後所定時間経過して真空吸引を停止すると共にエアーの吹出しを開始する（第四ステップ（ＳＴＰ４））。その後、作動コントローラ８１ｂは、コレットＣＬＴを上昇させダイＤ全体をダイシングテープＤＴから剥離する。その後、作動コントローラ８１ｂは、ブロックＢＬＫ１〜ＢＬＫ４を初期位置に戻す（第五ステップ（ＳＴＰ５））。作動コントローラ８１ｂは、コレットを初期位置に戻るタイミングでエアーの吹出しを停止する。コレットＣＬＴがダイＤをピックアップして上昇しエアーの吹出しによりダイシングテープＤＴは突上げユニットＴＵからの離脱が可能にされる。
【００９１】
［第五動作例］
突上げユニットＴＵがブロックＢＬＫの突上げ動作途中に何らかの不具合が発生した場合、中断してやり直し（リトライ）したり、中止したりするのではなく、その不具合の状況に応じて突上げ動作を可変にして実施（継続）する。
例えば、図３（ａ）の第一状態では、上述したように、ダイＤ周辺でダイシングテープＤＴが剥離されることになる。しかし、一方この時、ダイＤ周辺は下側に応力を受け、湾曲することになる。そうするとダイＤとコレットＣＬＴ下面との間に隙間ができ、空気がコレットＣＬＴの真空吸引系に流入することになる。その結果、当該真空吸引系に設けられたガス流量センサ８７ｃの吸引量出力が増加してリークが検出される。最外周ブロックであるブロックＢＬＫ１が上昇中に該リークを検出し、リーク量が所定値以下の場合、突上げユニットＴＵの各ブロックＢＬＫ１〜ＢＬＫ４の駆動の動作をそのまま継続する。特に、最初に全ブロックＢＬＫ１〜ＢＬＫ４が上昇する時は、所定の範囲内で剥離が開始されるまでブロックＢＬＫ１〜ＢＬＫ４を上昇させる。すなわち、例えば、図４の突上げ動作シーケンスの場合、リークが発生しても第一ステップにおけるブロックＢＬＫ１〜ＢＬＫ４の上昇を継続する。これにより、動作中に発生した異常の程度により、そのまま着工しダイを救済することができる。なお、リーク量が所定値超の場合、突上げユニットＴＵの各ブロックＢＬＫ１〜ＢＬＫ４の駆動の動作を変更して実施したり、リトライしたり、中止したりする。
【００９２】
［第六動作例］
ピックアップするダイＤの形状に合わせて、予め想定した動作条件に合わせて設定されたタイムチャートレシピに基づいて突上げユニットＴＵのブロックＢＬＫ１〜ＢＬＫ４の動作を行う。さらに、画像認識、レーザ変位計などの計測手段により、ピックアップするダイＤの形状を測定、または、そのデバイスが持つ特有の形状を記憶し参照して、それに適した突上げ手順（ブロック動作順や高さ）が設定されたタイムチャートレシピを選択してピックアップを実施する。これにより、製品構造の影響により変形しているダイのピックアップを形状毎に最適化することが可能となる。
【００９３】
［第七動作例］
ピックアップするダイＤのウェハ内の隣接（周囲）するエリアの状態に合わせて設定されたタイムチャートレシピに基づいて突上げユニットＴＵの各ブロックＢＬＫ１〜ＢＬＫ４の駆動(軸)の動作を行う。隣接するエリアのダイＤの有無によりダイシングテープＤＴの伸びシロ等が大幅に変化するため、部分的にこれを伸ばす突上げ量が異なるため、これに合せた突上げ高さ、速度にて実施する。これにより、隣接するウェハ上のダイＤの有無による影響を少なくすることができる。
【００９４】
［第八動作例］
突上げユニットＴＵの全ブロックＢＬＫ１〜ＢＬＫ４の上昇途中で中央付近のブロック（例えば、ブロックＢＬＫ４のみ、またはブロックＢＬＫ３およびブロックＢＬＫ４の両方）を下げる動作を行う。これにより、ボンディング時のボイド対策等で使用される、吸着面に凸型に曲線形状を持つコレットなどでのピックアップにおいても、安定したダイの突き上げ動作を行うことが可能となる。
【００９５】
［第九動作例］
事前に確認した突上げユニットＴＵのボールネジやギアのバックラッシュ分を補正してタイムチャートレシピを設定し、設定されたタイムチャートレシピに基づいて突上げ動作を行う。これにより、突上げユニットＴＵの装置間の機差による影響を低減することが可能となる。
【００９６】
［第十動作例］
突上げユニットＴＵの各ブロックＢＬＫ１〜ＢＬＫ４の駆動(軸)の動作を、事前に評価した動作データから算出したパラメータに基づき設定されたタイムチャートレシピに基づいて突上げ動作を行う。これにより、最適な非線形突上げシーケンスを実行することが可能となる。
【００９７】
［第十一動作例］
外部ＰＣでシミュレーションを行ったデータをタイムチャートレシピに設定し、設定されたタイムチャートレシピに基づいて突上げ動作を行う。これにより、最適な非線形突上げシーケンスを実行することが可能となる。
【００９８】
［第十二動作例］
実際の剥がれ状態を撮像装置等でモニタしてシミュレーションしたデータにフィードバックしてタイムチャートレシピに設定し、設定されたタイムチャートレシピに基づいて突上げ動作を行う。これにより、最適な非線形突上げシーケンスを実行することが可能となる。
【００９９】
［第十三動作例］
安定してピックアップしている場合、最外周のブロックＢＬＫ１を下げてセンサ８７ｂによりリークを確認し、撮像装置等でダイＤがダイシングテープＤＴから剥離していれば下降に移る。これにより、ダイの外周部が剥離していない状態で継続して剥離動作を行うことによるダイへのストレスを低減し、割れ欠けなしに常に安定した状態でダイのピックアップを行うことができる。
【０１００】
実施形態によれば、突上げユニットのブロックの動作をプログラムレシピにより自由に設定することができる。これにより、ダイへの低ストレス性または高速ピックアップ性の観点から対象製品品種、構造、材料の種類に応じた最適な各ブロックを動作させることができる。これにより、薄いダイのダイボンディングを割れ欠けなしに実施することができる。
【０１０１】
また、実施形態によれば、動作中のダイの状況に応じた動作に動作途中でも切り替える（自由に設定する）ことができる。これにより、動作中に確認した状況に応じて、ステップ毎に動作を一旦停止したり、その途中で再開したりすることができる。これにより、ダイや材料、環境による変化に応じた適切な動作を実施することができる。
【実施例】
【０１０２】
図２０は実施例に係るダイボンダの概略を示す上面図である。図２１は図２０において矢印Ａ方向から見たときに、ピックアップヘッド及びボンディングヘッドの動作を説明する図である。
【０１０３】
半導体製造装置の一例であるダイボンダ１０は、大別して、一つ又は複数の最終１パッケージとなる製品エリア（以下、パッケージエリアＰという。）をプリントした基板Ｓに実装するダイＤを供給するダイ供給部１と、ピックアップ部２、中間ステージ部３と、ボンディング部４と、搬送部５、基板供給部６と、基板搬出部７と、各部の動作を監視し制御する制御部８と、を有する。Ｙ軸方向がダイボンダ１０の前後方向であり、Ｘ軸方向が左右方向である。ダイ供給部１がダイボンダ１０の手前側に配置され、ボンディング部４が奥側に配置される。
【０１０４】
まず、ダイ供給部１は基板ＳのパッケージエリアＰに実装するダイＤを供給する。ダイ供給部１は、ウェハ１１を保持するウェハ保持台１２と、ウェハ１１からダイＤを突き上げる点線で示す突上げユニット１３と、を有する。ダイ供給部１は図示しない駆動手段によってＸＹ軸方向に移動し、ピックアップするダイＤを突上げユニット１３の位置に移動させる。
【０１０５】
ピックアップ部２は、ダイＤをピックアップするピックアップヘッド２１と、ピックアップヘッド２１をＹ軸方向に移動させるピックアップヘッドのＹ駆動部２３と、コレット２２を昇降、回転及びＸ軸方向移動させる図示しない各駆動部と、を有する。ピックアップヘッド２１は、突き上げられたダイＤを先端に吸着保持するコレット２２（図２１も参照）を有し、ダイ供給部１からダイＤをピックアップし、中間ステージ３１に載置する。ピックアップヘッド２１は、コレット２２を昇降、回転及びＸ軸方向移動させる図示しない各駆動部を有する。
【０１０６】
中間ステージ部３は、ダイＤを一時的に載置する中間ステージ３１と、中間ステージ３１上のダイＤを認識する為のステージ認識カメラ３２を有する。
【０１０７】
ボンディング部４は、中間ステージ３１からダイＤをピックアップし、搬送されてくる基板ＳのパッケージエリアＰ上にボンディングし、又は既に基板ＳのパッケージエリアＰの上にボンディングされたダイの上に積層する形でボンディングする。ボンディング部４は、ピックアップヘッド２１と同様にダイＤを先端に吸着保持するコレット４２（図２２も参照）を備えるボンディングヘッド４１と、ボンディングヘッド４１をＹ軸方向に移動させるＹ駆動部４３と、基板ＳのパッケージエリアＰの位置認識マーク（図示せず）を撮像し、ボンディング位置を認識する基板認識カメラ４４とを有する。
このような構成によって、ボンディングヘッド４１は、ステージ認識カメラ３２の撮像データに基づいてピックアップ位置・姿勢を補正し、中間ステージ３１からダイＤをピックアップし、基板認識カメラ４４の撮像データに基づいて基板にダイＤをボンディングする。
【０１０８】
搬送部５は、基板Ｓを掴み搬送する基板搬送爪５１と、基板Ｓが移動する搬送レーン５２と、を有する。基板Ｓは、搬送レーン５２に設けられた基板搬送爪５１の図示しないナットを搬送レーン５２に沿って設けられた図示しないボールネジで駆動することによって移動する。
このような構成によって、基板Ｓは、基板供給部６から搬送レーン５２に沿ってボンディング位置まで移動し、ボンディング後、基板搬出部７まで移動して、基板搬出部７に基板Ｓを渡す。
【０１０９】
制御部８は、ダイボンダ１０の各部の動作を監視し制御するプログラム（ソフトウェア）を格納するメモリと、メモリに格納されたプログラムを実行する中央処理装置（ＣＰＵ）と、を備える。
【０１１０】
次に、ダイ供給部１の構成について図２２、２３を用いて説明する。図２２は図２１のダイ供給部の外観斜視図を示す図である。図２３は図２０のダイ供給部の主要部を示す概略断面図である。
【０１１１】
ダイ供給部１は、水平方向（ＸＹ軸方向）に移動するウェハ保持台１２と、上下方向に移動する突上げユニット１３と、を備える。ウェハ保持台１２は、ウェハリング１４を保持するエキスパンドリング１５と、ウェハリング１４に保持され複数のダイＤが接着されたダイシングテープ１６を水平に位置決めする支持リング１７と、を有する。突上げユニット１３は支持リング１７の内側に配置される。
【０１１２】
ダイ供給部１は、ダイＤの突き上げ時に、ウェハリング１４を保持しているエキスパンドリング１５を下降させる。その結果、ウェハリング１４に保持されているダイシングテープ１６が引き伸ばされダイＤの間隔が広がり、突上げユニット１３によりダイＤ下方よりダイＤを突き上げ、ダイＤのピックアップ性を向上させている。なお、ダイを基板に接着する接着剤は、液状からフィルム状となり、ウェハ１１とダイシングテープ１６との間にダイアタッチフィルム（ＤＡＦ）１８と呼ばれるフィルム状の接着材料を貼り付けている。ダイアタッチフィルム１８を有するウェハ１１では、ダイシングは、ウェハ１１とダイアタッチフィルム１８に対して行なわれる。従って、剥離工程では、ウェハ１１とダイアタッチフィルム１８をダイシングテープ１６から剥離する。なお、以降では、ダイアタッチフィルム１８の存在を無視して、剥離工程を説明する。
【０１１３】
次に、突上げユニット１３について図２４〜２９を用いて説明する。図２４は実施例に係る突上げユニットの外観斜視図である。図２５は図２４の第１ユニットの一部の上面図である。図２６は図２４の第２ユニットの一部の上面図である。図２７は図２４の第３ユニットの一部の上面図である。図２８は図２４の突上げユニットの縦断面図である。図２９は図２４の突上げユニットの縦断面図である。
突上げユニット１３は、第１ユニット１３ａと、第１ユニット１３ａが装着される第２ユニット１３ｂと、第２ユニット１３ｂが装着される第３ユニット１３ｃと、を備える。第２ユニット１３ｂおよび第３ユニット１３ｃは品種に関係なく共通な部分で、第１ユニット１３ａは品種ごとに取替可能な部分である。
【０１１４】
第１ユニット１３ａはブロックＡ１〜Ａ４を有するブロック部１３ａ１と、複数の吸着孔を有するドームヘッド１３ａ２と、吸引孔１３ａ３と、ドーム吸着の吸引孔１３ａ４と、を有し、第２ユニット１３ｂの同心円状のブロックＢ１〜Ｂ４の上下運動を同心四角状の４つのブロックＡ１〜Ａ４の上下運動に変換する。ブロックＡ１〜Ａ４は実施形態のブロックＢＬＫ４〜ＢＬＫ１に対応する。４つのブロックＡ１〜Ａ４は独立に上下運動が可能である。同心四角状のブロックＡ１〜Ａ４の平面形状はダイＤの形状に合うように構成される。ダイサイズが大きい場合は、同心四角状のブロックの数は４つよりも多く構成される。これは、第３ユニットの複数の出力部および第２ユニットの同心円状のブロックが互いに独立に上下動する（上下動しない）ことにより可能となっている。４つのブロックＡ１〜Ａ４の突上げ速度、突上げ量をプログラマブルに設定可能である。
【０１１５】
第２ユニット１３ｂは、円管状のブロックＢ１〜Ｂ６と、外周部１３ｂ２と、を有し、第１ユニット１３ａの円周上に配置される出力部Ｃ１〜Ｃ６の上下運動を同心円状の６つのブロックＢ１〜Ｂ６の上下運動に変換する。６つのブロックＢ１〜Ｂ６は独立に上下運動が可能である。ここで、第１ユニット１３ａは４つのブロックＡ１〜Ａ４しか有さないので、ブロックＢ５，Ｂ６は使用されない。
【０１１６】
第３ユニット１３ｃは中央部１３ｃ０と６つの周辺部１３ｃ１〜１３ｃ６とを備える。中央部１３ｃ０は上面の円周上に等間隔に配置され独立して上下する６つの出力部Ｃ１〜Ｃ６を有する。周辺部１３ｃ１〜１３ｃ６はそれぞれ出力部Ｃ１〜Ｃ６を互いに独立に駆動可能である。周辺部１３ｃ１〜１３ｃ６はそれぞれモータＭ１〜Ｍ６を備え、中央部１３ｃ０にはモータの回転をカムまたはリンクによって上下動に変換するプランジャ機構Ｐ１〜Ｐ６を備える。プランジャ機構Ｐ１〜Ｐ６は出力部Ｃ１〜Ｃ６に上下動を与える。なお、モータＭ２、Ｍ５およびプランジャ機構Ｐ２、Ｐ５は図示されていない。ここで、第１ユニット１３ａは４つのブロックＡ１〜Ａ４しか有さないので、周辺部１３ｃ５，１３ｃ６は使用されない。よって、モータＭ５，Ｍ６、プランジャ機構Ｐ５，Ｐ６、出力部Ｃ５，Ｃ６は使用されない。出力部Ｃ１〜Ｃ４は実施形態のニードルＮＤＬ１〜ＮＤＬ４に対応する。
【０１１７】
次に、突上げユニットとコレットとの関係について図３０を用いて説明する。図３０は実施例に係る突上げユニットとピックアップヘッドのうちコレット部との構成を示した図である。
【０１１８】
図３０に示すようにコレット部２０は、コレット２２と、コレット２２を保持するコレットホルダー２５と、それぞれに設けられダイＤを吸着するための吸引孔２２ｖ、２５ｖとを有する。コレット２２のダイを吸着する吸着面はダイＤと略同じ大きさである。
【０１１９】
第１ユニット１３ａは上面周辺部にドームヘッド１３ａ２を有する。ドームヘッド１３ａ２は複数の吸着孔ＨＬと空洞部ＣＶとを有し、吸引孔１３ａ３から吸引して、コレット２２でピックアップされるダイＤの周辺のダイＤｄをダイシングテープ１６を介して吸引する。図１７ではブロック部１３ａ１の周囲に吸着孔ＨＬを一列のみ示しているが、ピックアップ対象でないダイＤｄを安定し保持するために複数列設けている。同心四角状のブロックＡ１〜Ａ４の各ブロックの間の隙間Ａ１ｖ、Ａ２ｖ、Ａ３ｖおよび第１ユニット１３ａのドーム内の空洞部を介してドーム吸着の吸引孔１３ａ４から吸引して、コレット２２でピックアップされるダイＤをダイシングテープ１６を介して吸引する。吸引孔１３ａ３からの吸引と吸引孔１３ａ４からの吸引は独立に行うことができる。
【０１２０】
本実施例の突上げユニット１３は、第１ユニットのブロックの形状、ブロックの数を変更することにより、種々のダイに適用可能であり、例えばブロック数が６つの場合は、ダイサイズが２０ｍｍ□以下のダイに適用可能である。第３ユニットの出力部の数、第２ユニットの同心円状のブロックの数および第１ユニットの同心四角状のブロックの数を増やすことにより、ダイサイズが２０ｍｍ□より大きいダイにも適用可能である。
【０１２１】
次に、制御部８について図３１を用いて説明する。図３１は図２０のダイボンダの制御系の概略構成を示すブロック図である。制御系８０は制御部８と駆動部８６と信号部８７と光学系８８とを備える。制御部８は、大別して、主としてＣＰＵ（Central Processor Unit）で構成される制御・演算装置８１と、記憶装置８２と、入出力装置８３と、バスライン８４と、電源部８５とを有する。制御・演算装置８１および記憶装置８２は実施形態のメインコントローラ８１ａに対応し、モータ制御装置８３ｅは実施形態の作動コントローラ８１ｂに対応する。記憶装置８２は、処理プログラムなどを記憶しているＲＡＭで構成されている主記憶装置８２ａと、制御に必要な制御データや画像データ等を記憶しているＨＤＤやＳＳＤ等で構成されている補助記憶装置８２ｂとを有する。入出力装置８３は、装置状態や情報等を表示するモニタ８３ａと、オペレータの指示を入力するタッチパネル８３ｂと、モニタを操作するマウス８３ｃと、光学系８８からの画像データを取り込む画像取込装置８３ｄと、を有する。また、入出力装置８３は、ダイ供給部１のＸＹテーブル（図示せず）やボンディングヘッドテーブルのＺＹ駆動軸等の駆動部８６を制御するモータ制御装置８３ｅと、種々のセンサ信号や照明装置などのスイッチ等の信号部８７から信号を取り込み又は制御するＩ／Ｏ信号制御装置８３ｆとを有する。光学系８８には、ウェハ認識カメラ２４、ステージ認識カメラ３２、基板認識カメラ４４が含まれる。制御・演算装置８１はバスライン８４を介して必要なデータを取込み、演算し、ピックアップヘッド２１等の制御や、モニタ８３ａ等に情報を送る。
【０１２２】
制御部８は画像取込装置８３ｄを介してウェハ認識カメラ２４、ステージ認識カメラ３２および基板認識カメラ４４で撮像した画像データを記憶装置８２に保存する。保存した画像データに基づいてプログラムしたソフトウェアにより、制御・演算装置８１を用いてダイＤおよび基板ＳのパッケージエリアＰの位置決め、並びにダイＤおよび基板Ｓの表面検査を行う。制御・演算装置８１が算出したダイＤおよび基板ＳのパッケージエリアＰの位置に基づいてソフトウェアによりモータ制御装置８３ｅを介して駆動部８６を動かす。このプロセスによりウェハ上のダイの位置決めを行い、ピックアップ部２およびボンディング部４の駆動部で動作させダイＤを基板ＳのパッケージエリアＰ上にボンディングする。使用するウェハ認識カメラ２４、ステージ認識カメラ３２および基板認識カメラ４４はグレースケール、カラー等であり、光強度を数値化する。
【０１２３】
次に、上述した構成による突上げユニット１３によるピックアップ動作について図３２を用いて説明する。図３２はピックアップ動作の処理フローを示すフローチャートである。
【０１２４】
ステップＳ１：制御部８はピックアップするダイＤが突上げユニット１３の真上に位置するようにウェハ保持台１２を移動し、ダイシングテープ１６の裏面に第３ユニットの上面が接触するように突上げユニット１３を移動する。このとき、図３０に示すように、制御部８は、ブロック部１３ａ１の各ブロックＡ１〜Ａ４がドームヘッド１３ａ２の表面と同一平面を形成するようにし、ドームヘッド１３ａ２の吸着孔ＨＬと、ブロック間の隙間Ａ１ｖ、Ａ２ｖ、Ａ３ｖとによってダイシングテープ１６を吸着する。
【０１２５】
ステップＳ２：制御部８は、コレット部２０を下降させ、ピックアップするダイＤの上に位置決めし、吸引孔２２ｖ、２５ｖによってダイＤを吸着する。
【０１２６】
ステップＳ３：制御部８は、ブロック部１３ａ１の各ブロックＡ１〜Ａ４を上昇させて剥離動作を行う。ここで、制御部８は、例えば、実施形態の第一のタイムチャートレシピ（図６）に基づいて制御を行う。すなわち、制御部８はモータＭ４，Ｍ３、Ｍ２，Ｍ１でそれぞれプランジャ機構Ｐ４，Ｐ３、Ｐ２，Ｐ１を駆動し、出力部Ｃ４，Ｃ３，Ｃ２，Ｃ１およびブロックＢ４，Ｂ３，Ｂ２，Ｂ１を介してブロックＡ４，Ａ３，Ａ２，Ａ１を２００μｍ上昇させて停止させる。次に、制御部８はモータＭ４でプランジャ機構Ｐ４を駆動し、出力部Ｃ４およびブロックＢ４を介して最も外側のブロックＡ４のみを−５０μｍまで下降させ停止させる。次に、制御部８はモータＭ３でプランジャ機構Ｐ３を駆動し、出力部Ｃ３およびブロックＢ３を介して２番目に外側のブロックＡ３のみを−５０μｍまで下させ停止させる。次に、制御部８はモータＭ２でプランジャ機構Ｐ２を駆動し、出力部Ｃ２およびブロックＢ２を介して３番目に外側のブロックＡ２のみを−５０μｍまで下降させ停止させる。最後に、制御部８はモータＭ１でプランジャ機構Ｐ１を駆動し、出力部Ｃ１およびブロックＢ１を介して最も内側のブロックＡ１のみを０μｍまで下降させ停止させる。
【０１２７】
ステップＳ４：制御部８はコレットを上昇させる。ステップＳ３の最後の状態では、ダイシングテープ１６とダイＤとの接触面積はコレットの上昇により剥離できる面積となり、コレット２２の上昇によりダイＤを剥離することができる。
ステップＳ５：制御部８はブロック部１３ａ１の各ブロックＡ１〜Ａ４がドームヘッド１３ａ２の表面と同一平面を形成するようにし、ドームヘッド１３ａ２の吸着孔ＨＬと、ブロック間の隙間Ａ１ｖ、Ａ２ｖ、Ａ３ｖとによるダイシングテープ１６の吸着を停止する。制御部８はダイシングテープ１６の裏面から第１ユニットの上面が離れるように突上げユニット１３を移動する。
【０１２８】
制御部８はステップＳ１〜Ｓ５を繰り返して、ウェハ１１の良品のダイをピックアップする。
【０１２９】
次に、実施例に係るダイボンダを用いた半導体装置の製造方法について図３３を用いて説明する。図３３は図２０の半導体装置の製造方法を示すフローチャートである。
【０１３０】
ステップＳ１１：ウェハ１１から分割されたダイＤが貼付されたダイシングテープ１６を保持したウェハリング１４をウェハカセット（不図示）に格納し、ダイボンダ１０に搬入する。制御部８はウェハリング１４が充填されたウェハカセットからウェハリング１４をダイ供給部１に供給する。また、基板Ｓを準備し、ダイボンダ１０に搬入する。制御部８は基板供給部６で基板Ｓを基板搬送爪５１に取り付ける。
【０１３１】
ステップＳ１２：制御部８は上述したようにダイＤを剥離し、剥離したダイＤをウェハ１１からピックアップする。このようにして、ダイアタッチフィルム１８と共にダイシングテープ１６から剥離されたダイＤは、コレット２２に吸着、保持されて次工程（ステップＳ１３）に搬送される。そして、ダイＤを次工程に搬送したコレット２２がダイ供給部１に戻ってくると、上記した手順に従って、次のダイＤがダイシングテープ１６から剥離され、以後同様の手順に従ってダイシングテープ１６から１個ずつダイＤが剥離される。
【０１３２】
ステップＳ１３：制御部８はピックアップしたダイを基板Ｓ上に搭載又は既にボンディングしたダイの上に積層する。制御部８はウェハ１１からピックアップしたダイＤを中間ステージ３１に載置し、ボンディングヘッド４１で中間ステージ３１から再度ダイＤをピックアップし、搬送されてきた基板Ｓにボンディングする。
【０１３３】
ステップＳ１４：制御部８は基板搬出部７で基板搬送爪５１からダイＤがボンディングされた基板Ｓを取り出す。ダイボンダ１０から基板Ｓを搬出する。
【０１３４】
上述したように、ダイＤは、ダイアタッチフィルム１８を介して基板Ｓ上に実装され、ダイボンダから搬出される。その後、ワイヤボンディング工程でＡｕワイヤを介して基板Ｓの電極と電気的に接続される。続いて、ダイＤが実装された基板Ｓがダイボンダに搬入されて基板Ｓ上に実装されたダイＤの上にダイアタッチフィルム１８を介して第２のダイＤが積層され、ダイボンダから搬出された後、ワイヤボンディング工程でＡｕワイヤを介して基板Ｓの電極と電気的に接続される。第２のダイＤは、前述した方法でダイシングテープ１６から剥離された後、ペレット付け工程に搬送されてダイＤの上に積層される。上記工程が所定回数繰り返された後、基板Ｓをモールド工程に搬送し、複数個のダイＤとＡｕワイヤとをモールド樹脂（図示せず）で封止することによって、積層パッケージが完成する。
【０１３５】
上述したように、基板上に複数個のダイを三次元的に実装する積層パッケージを組み立てに際しては、パッケージ厚の増加を防ぐために、ダイの厚さを２０μｍ以下まで薄くすることが要求される。一方、ダイシングテープの厚さは１００μｍ程度であるから、ダイシングテープの厚みは、ダイの厚みの４〜５倍にもなっている。
【０１３６】
このような薄いダイをダイシングテープから剥離させようとすると、ダイシングテープの変形に追従したダイの変形がより顕著に発生しやすくなるが、本実施形態のダイボンダではダイシングテープからダイをピックアップする際のダイの損傷を低減することができる。
【０１３７】
以上、本発明者によってなされた発明を実施形態および実施例に基づき具体的に説明したが、本発明は、上記実施形態および実施例に限定されるものではなく、種々変更可能であることはいうまでもない。
【０１３８】
例えば、第１ユニットの複数のブロックは同心四角状のものについて説明したが、同心円形状や同心楕円形状のものであってもよいし、四角状ブロックを平行に並べて構成してもよい。
【０１３９】
また、実施例では、ダイアタッチフィルムを用いる例を説明したが、基板に接着剤を塗布するプリフォーム部を設けてダイアタッチフィルムを用いなくてもよい。
【０１４０】
また、実施例では、ダイ供給部からダイをピックアップヘッドでピックアップして中間ステージに載置し、中間ステージに載置されたダイをボンディングヘッドで基板にボンディングするダイボンダについて説明したが、これに限定されるものではなく、ダイ供給部からダイをピックアップする半導体製造装置に適用可能である。
例えば、中間ステージとピックアップヘッドがなく、ダイ供給部のダイをボンディングヘッドで基板にボンディングするダイボンダにも適用可能である。 
また、中間ステージがなく、ダイ供給部からダイをピックアップしダイピックアップヘッドを上に回転してダイをボンディングヘッドに受け渡しボンディングヘッドで基板にボンディングするフリップチップボンダに適用可能である。
また、中間ステージとボンディングヘッドがなく、ダイ供給部からピックアップヘッドでピックアップしたダイをトレイ等に載置するダイソータに適用可能である。
【符号の説明】
【０１４１】
１００：半導体製造装置
８１ｂ：作動コントローラ
ＢＨ：ヘッド
ＢＬＫ１〜ＢＬＫ４：ブロック
コレット：ＣＬＴ
Ｄ：ダイ
ＤＰ：ドームヘッド
ＤＴ：ダイシングテープ
ＴＵ：突上げユニット
【図１】
2020161534.tif 000003
【図２】
2020161534.tif 000004
【図３】
2020161534.tif 000005
【図４】
2020161534.tif 000006
【図５】
2020161534.tif 000007
【図６】
2020161534.tif 000008
【図７】
2020161534.tif 000009
【図８】
2020161534.tif 000010
【図９】
2020161534.tif 000011
【図１０】
2020161534.tif 000012
【図１１】
2020161534.tif 000013
【図１２】
2020161534.tif 000014
【図１３】
2020161534.tif 000015
【図１４】
2020161534.tif 000016
【図１５】
2020161534.tif 000017
【図１６】
2020161534.tif 000018
【図１７】
2020161534.tif 000019
【図１８】
2020161534.tif 000020
【図１９】
2020161534.tif 000021
【図２０】
2020161534.tif 000022
【図２１】
2020161534.tif 000023
【図２２】
2020161534.tif 000024
【図２３】
2020161534.tif 000025
【図２４】
2020161534.tif 000026
【図２５】
2020161534.tif 000027
【図２６】
2020161534.tif 000028
【図２７】
2020161534.tif 000029
【図２８】
2020161534.tif 000030
【図２９】
2020161534.tif 000031
【図３０】
2020161534.tif 000032
【図３１】
2020161534.tif 000033
【図３２】
2020161534.tif 000034
【図３３】
2020161534.tif 000035